(57)【要約】【課題】エレベータ昇降路の内壁面に容易にかつ正確に固定できるように改良されたエレベータ乗場ドアのヘッダケースを提供する。【解決手段】ヘッダケース１００を昇降路の内壁面に固定するときは、まず最初にヘッダケース本体２０に設けたブラケット３０Ｌ，３０Ｒを支持部材１２に上方から係合させて上下方向に位置決めする。次いで、ヘッダケース本体２０を左右方向に位置決めしてからヘッダケース本体２０を昇降路の内壁面にボルトを用いて直接固定する。これにより、作業員がヘッダケース１００を持ち上げる必要がないから、昇降路の内壁面にヘッダケースを位置決めして固定する作業を容易にかつ正確に行うことができる。【選択図】図１
2010208738.tif 000002
【特許請求の範囲】
【請求項１】
エレベータ昇降路の内壁面に固定されて乗場ドアを開閉自在に支持するヘッダケースであって、
乗場乗降口の上部で左右方向に水平に延びる支持部材に上方から係合して前記ヘッダケースを上下方向に位置決めするためのブラケットを備えることを特徴とするエレベータ乗場ドアのヘッダケース。
【請求項２】
前記ブラケットは、前記支持部材に上方から係合するときに前記ヘッダケースを前記支持部材の側に引き寄せるための傾斜面を有していることを特徴とする請求項１に記載したエレベータ乗場ドアのヘッダケース。
【請求項３】
前記ブラケットは、前記支持部材の上縁部分に載置される載置面を有していることを特徴とする請求項２に記載したエレベータ乗場ドアのヘッダケー
【請求項４】
前記載置面の前後方向の寸法は、前記支持部材の上縁部分の前後方向寸法より大きく設定されていることを特徴とする請求項１に記載したエレベータ乗場ドアのヘッダケース。
【請求項５】
前記ヘッダケースは、前記ブラケットを取り付けるための挿通孔を有しており、
前記ブラケットは、前記挿通孔に挿通されて前記ヘッダケースの裏面側に位置し前記支持部材に係合する係合部と、前記ヘッダケースの表面に取り付けられる取付部と、を有していることを特徴とする請求項１に記載したエレベータ乗場ドアのヘッダケース。
【請求項６】
前記支持部材は、前記ブラケットと左右方向に係合して前記ヘッダケースを左右方向に位置決めするための位置決め溝を有していることを特徴とする請求項１に記載したエレベータ乗場ドアのヘッダケース。
【請求項７】
前記支持部材は、前記乗場乗降口に設けられる三方枠の上枠を支持するために設けられた部材であることを特徴とする請求項１に記載したエレベータ乗場ドアのヘッダケース。
【発明の詳細な説明】
【技術分野】
【０００１】
本発明は、エレベータの乗場ドアを支持するヘッダケースに関し、より詳しくは、昇降路の内壁面にヘッダケースを容易にかつ正確に固定できるように改良する技術に関する。
【背景技術】
【０００２】
従来、エレベータの乗場には乗場ドア装置が設けられ、片開きあるいは左右両開きの乗場ドアによって乗場乗降口を開閉するようになっている（下記特許文献１を参照）。
【０００３】
この乗場ドア装置の構造の一例について図７を参照して概説すると、エレベータ昇降路の乗場側の内壁面に固定されたブラケット１によって敷居２が水平に支持されるとともに、この敷居２の左右の両端にそれぞれバックアングル３Ｌ，３Ｒが立設され、それらの上端にヘッダケース４が掛け渡されている。
【０００４】
そして、ヘッダケース４に固定されたレール５の上を転動するローラ６を有したハンガ７Ｌ，７Ｒによって乗場ドア８Ｌ，８Ｒをそれぞれ吊り下げ支持されるとともに、ヘッダケース４に設けられた図示されないドア駆動機構によって乗場ドア８Ｌ，８Ｒが開閉されると、乗場ドア８Ｌ，８Ｒの下端に設けられているガイドシュー９が敷居２の溝内を摺動してその開閉が案内されるようになっている。
【０００５】
【特許文献１】特開平９−２０２５７６号公報
【発明の開示】
【発明が解決しようとする課題】
【０００６】
ところで、上述した構造の乗場ドア装置においては、敷居２の左右の両端部に左右一対のバックアングル３Ｌ，３Ｒがそれぞれ立設されている。
これにより、ヘッダケース４を取り付けるときには、バックアングル３Ｌ，３Ｒの上部の所定位置にボルトを用いてヘッダケース４を固定することにより、ヘッダケース４の上下方向および左右方向の位置決めを容易にかつ正確に行うことができる。
【０００７】
ところが近年、上述した左右一対のバックアングル３Ｌ，３Ｒを省略した乗場ドア装置が開発されている。
この場合、昇降路の内壁面にボルトを用いてヘッダケース４を直接固定することになるが、ヘッダケース４を仮固定した後、その取付位置の微調整を行うために重いヘッダケース４を何度も持ち上げなければならず、作業員の負担が大きかった。
【０００８】
そこで本発明の目的は、上述した従来技術が有する問題を解消し、エレベータ昇降路の内壁面に容易にかつ正確に固定できるように改良されたエレベータ乗場ドアのヘッダケースを提供することにある。
【課題を解決するための手段】
【０００９】
上記の課題を解決する本発明は、エレベータ昇降路の内壁面に固定されて乗場ドアを開閉自在に支持するヘッダケースであって、
乗場乗降口の上部で左右方向に水平に延びる支持部材に上方から係合して前記ヘッダケースを上下方向に位置決めするためのブラケットを備えることを特徴とする。
【００１０】
すなわち、本発明のヘッダケースを昇降路の内壁面に固定するときは、まず最初にヘッダケースに設けたブラケットを支持部材に上方から係合させることにより、ヘッダケースを上下方向に位置決めする。
次いで、ヘッダケースを左右方向に位置決めしてからヘッダケースを昇降路の内壁面にボルトを用いて直接固定する。
これにより、ヘッダケースを位置決めするために作業員がヘッダケースを持ち上げる必要がないから、昇降路の内壁面にヘッダケースを位置決めして固定する作業を容易にかつ正確に行うことができる。
特に、乗場乗降口に設ける三方枠の上枠を支持している支持部材は、昇降路および乗場乗降口に対して前後上下左右の各方向に正確に位置決めされているから、この支持部材を活用することにより、ヘッダケースを正確に位置決めすることができる。
【００１１】
このとき、前記ブラケットには、前記支持部材に上方から係合するときに前記ヘッダケースを前記支持部材の側に引き寄せるための傾斜面を設けることができる。
これにより、ブラケットを支持部材に上方から係合させるときに、ヘッダケースを支持部材の側に引き寄せて、昇降路の内壁面に密着させる作業を容易に行うことができる。
【００１２】
また、前記ブラケットには、前記支持部材の上縁部分に載置される載置面を設けることができる。
これにより、ブラケットの載置面を支持部材の上縁に載置し、ヘッダケースの重量を支持部材によって支持することができる。
【００１３】
また、前記載置面の前後方向の寸法は、前記支持部材の上縁部分の前後方向寸法より大きく設定する。
これにより、ブラケットの載置面を支持部材の上縁に載置する作業を容易に行うことができる。
【００１４】
また、前記ヘッダケースに前記ブラケットを取り付けるための挿通孔を設けるとともに、前記ブラケットに前記挿通孔に挿通されて前記ヘッダケースの裏面側に位置する、前記支持部材に係合する係合部と、前記ヘッダケースの表面に取り付けられる取付部とを設ける。
これにより、ヘッダケースの貫通孔にヘッダケースの表面側からブラケットの係合部を挿通してヘッダケースの裏面側に位置させた後、ブラケットの取付部をヘッダケースの表面にボルトを用いて取り付けることができる。
さらに、ヘッダケースを昇降路の内壁面に固定した後、ヘッダケースの表面に対するブラケットの固定を解除し、次いでヘッダケースの貫通孔からブラケットの係合部を抜き取ることにより、ブラケットをヘッダケースから容易に取り外すことができる。
【００１５】
さらに、前記支持部材には、前記ブラケットと左右方向に係合して前記ヘッダケースを左右方向に位置決めするための位置決め溝を設けることができる。
これにより、ブラケットの係合部が支持部材の位置決め溝と係合するようにヘッダケースを支持部材に取り付けると、ヘッダケースの支持部材に対する上下方向および左右方向の位置決めを同時に行うことができる。
【発明の効果】
【００１６】
本発明によれば、エレベータ昇降路の内壁面に容易にかつ正確に取り付けることができるエレベータ乗場ドアのヘッダケースを提供することができる。
【発明を実施するための最良の形態】
【００１７】
以下、図１乃至図６を参照し、本発明のエレベータ乗場ドアのヘッダケースの一実施形態について詳細に説明する。
なお、以下の説明においては、乗場ドアが開閉する方向を左右方向と、乗客が乗降する方向を前後方向と、鉛直方向を上下方向と言う。
【００１８】
図１に示したエレベータ乗場ドアのヘッダケース１００は、エレベータ昇降路の内壁面に直接固定されるヘッダケース本体２０に、左右一対のブラケット３０Ｌ，３０Ｒを取り付けたものである。
そして、各ブラケット３０Ｌ，３０Ｒは、乗場乗降口の上部に設けられて左右方向に水平に延びる、三方枠の上枠１１を支持するための支持部材１２に上方から係合するように構成されている。
【００１９】
ヘッダケース本体２０には、図２および図３に示したように、各ブラケット３０Ｌ，３０Ｒを取り付けるための挿通孔２１がそれぞれ貫設されている。
なお、これらの挿通孔２１は、本実施形態のヘッダケース１００を支持部材１２に係合させたときに、各ブラケット３０Ｌ，３０Ｒが支持部材１２の左右両端の近傍部分に位置するようにその左右方向の位置が決められている（図５参照）。
【００２０】
各ブラケット３０Ｌ，３０１Ｒは鋼板を折曲成形したものであり、その本体部分３１は、ヘッダケース本体２０への取り付けに用いるボルト３２を受け入れる貫通孔３１ａを有してヘッダケース本体２０の表面に密着取り付けされる取付部３２と、ヘッダケース本体２０の裏面側に位置して支持部材１２に係合する係合部３１ｃと、ヘッダケース本体２０の挿通孔２１の内側に位置して取付部３２と係合部３１ｃと接続する接続部３１ｄとを有している。
なお、各ブラケット３０Ｌ，３０１Ｒは、接続部３１ｄの上面が挿通孔２１の上縁に密着するようにヘッダケース本体２０に取り付けられる。
【００２１】
これにより、ヘッダケース本体２０に各ブラケット３０Ｌ，３０Ｒを取り付けるときには、ヘッダケース本体２０の表面側から挿通孔２１に係合部３１ｃを挿通してヘッダケース本体２０の裏面側に位置させた後、ヘッダケース本体２０の表面にボルト３２を用いて取付部３１ｂを密着させた状態で取り付けることができる。
これとは反対に、ヘッダケース本体２０から各ブラケット３０Ｌ，３０Ｒを取り外すときには、ボルト３２を緩めた後、挿通孔２１から接続部３１ｄおよび係合部３１ｃをそれぞれ引き抜けば良い。
【００２２】
なお、係合部３１ｃには、ブラケット３０が支持部材１２の上縁部分１２ａに上方から係合するときに、ヘッダケース本体２０を支持部材１２の側に引き寄せるための傾斜面３１ｅが設けられている。
【００２３】
また、接続部３１ｄの下面は、支持部材１２の上縁部分１２ａに載置される載置面３１ｆとなっている。
このとき、載置面３１ｆの前後方向寸法は、支持部材１２の上縁部分１２ａの前後方向寸法より大きく設定されている。
【００２４】
次に、図４〜図６を参照し、本実施形態のヘッダケース１００を昇降路の内壁面に固定する手順について説明する。
【００２５】
ヘッダケース１００を昇降路の内壁面に固定するときには、図４に示したように、ヘッダケース１００を吊り上げて、各ブラケット３０Ｌ，３０Ｒの係合部３１ｃを支持部材１２の上縁部分１２ａに係合させる。
このとき、係合部３１ｃには傾斜面３１ｅが設けられているため、ヘッダケース１００の下部は支持部材１２の側に引き寄せられる。
また、各ブラケット３０Ｌ，３０Ｒの載置面３１ｆの前後方向寸法は、支持部材１２の上縁部分１２ａの前後方向寸法よりわずかに大きく設定されているから、各載置面３１ｆを支持部材１２の上縁部分１２ａに載置する作業を容易に行うことができる。
【００２６】
各ブラケット３０Ｌ，３０Ｒの載置面３１ｆを支持部材１２の上縁部分１２ａに載置すると、ヘッダケース１００の重量を支持部材１２によって支持することができるばかりでなく、ヘッダケース１００を昇降路の内壁面に対して上下方向に位置決めすることができる。
このとき、各ブラケット３０Ｌ，３０Ｒの接続部３１ｄの上面が、ヘッダケース本体２０の挿通孔２１の上縁に当接しているため、ヘッダケース１００の上下方向の位置決め精度を向上させることができる。
【００２７】
そして、図５に示したようにヘッダケース１００の支持部材１２に対する上方からの係合が完了すると、図６に示したようにヘッダケース本体２０をボルトＢによって昇降路の内壁面Ｗに直接固定することができる。
【００２８】
すなわち、本実施形態のヘッダケース１００は、そのヘッダケース本体２０に取り付けた左右一対のブラケット３０Ｌ，３０Ｒを支持部材１２に対して上方から係合させることにより上下方向に位置決めする構造となっている。
これにより、ヘッダケース１００の左右方向の位置決めを行うために作業員がヘッダケース１００を何度も持ち上げる必要がないから、昇降路の内壁面にヘッダケース１００を位置決めして固定する作業を容易にかつ正確に行うことができる。
【００２９】
変形例
次に、図７を参照して変形例のヘッダケース１１０について説明する。
この変形例においては、支持部材１２に、ヘッダケース１１０を左右方向に位置決めするための位置決め溝１２ｂ，１２ｃが設けられている。
これに伴い、各ブラケット３０Ｌ，３０Ｒの接続部３１ｄは、位置決め溝１２ｂ，１２ｃの深さに合わせてその上下方向の寸法が変更されている。
これにより、本変形例のヘッダケース１１０においては、昇降路の内壁面に固定するときの上下方向および左右方向の位置決めを同時に行うことができる。
【００３０】
以上、本発明に係るエレベータ乗場ドアのヘッダケースの一実施形態および変形例について詳しく説明したが、本発明は上述した実施形態や変形例によって限定されるものではなく、種々の変更が可能であることは言うまでもない。
例えば、上述した実施形態および変形例においては、いずれも左右一対のブラケットを用いてヘッダケースを支持部材に取り付けているが、必要に応じてブラケットの数を増やすこともできる。
【図面の簡単な説明】
【００３１】
【図１】一実施形態のヘッダケースを示す全体斜視図。
【図２】ブラケットを示す斜視図。
【図３】図２に示したブラケットをヘッダケースに取り付けた状態を示す斜視図。
【図４】図１のヘッダケースを支持部材に取り付ける状態を示す断面図。
【図５】図１のヘッダケースを支持部材に取り付けた状態で示す全体斜視図。
【図６】図１のヘッダケースを昇降路の内壁面に固定した状態を示す断面図。
【図７】一変形例のヘッダケースを示す全体斜視図。
【図８】従来の乗場ドア装置を昇降路の内部から見た正面図。
【符号の説明】
【００３２】
Ｂ  ヘッダケース固定用のボルト
Ｓ  昇降路
Ｗ  昇降路の内壁面
１  ブラケット
２  敷居
３Ｌ，３Ｒ  バックアングル
４  ヘッダケース
５  ハンガレール
６  ハンガローラ
７  ハンガ
８Ｌ，８Ｒ  乗場ドア
９  ガイドシュー
１１  上枠
１２  支持部材
２０  ヘッダケース本体
３０  ブラケット
３１  ブラケット本体
３２  ボルト
１００  第１実施形態のヘッダケース
１１０  第１変形例のヘッダケース
【図１】
2010208738.tif 000003
【図２】
2010208738.tif 000004
【図３】
2010208738.tif 000005
【図４】
2010208738.tif 000006
【図５】
2010208738.tif 000007
【図６】
2010208738.tif 000008
【図７】
2010208738.tif 000009
【図８】
2010208738.tif 000010